(57)【要約】      （修正有）【課題】強い地震力が作用した場合に減振効果が高く、簡易な構造かつ安価な平パレット及び平パレットの免振構造を提供する。【解決手段】平パレットＰは、積載物の積載部を構成する上板１０と、積載部と対向する接地部を構成する底板２０と、積載部と接地部との間に設けられているフォーク挿入部である開口部３１を備え、接地部の複数個所において、鋳鉄製であるすべり部材４０が突設されている。また、平パレットＰを被接地面であるコンクリート床面上に設置して免振構造とする。【選択図】図１
0003233709.tif 000002
【実用新案登録請求の範囲】
【請求項１】
積載物の積載部と、前記積載部と対向する接地部と、前記積載部と接地部との間に設けられているフォーク挿入部を備える平パレットにおいて、
前記接地部の下面における複数個所にすべり部材が突設されていることを特徴とする平パレット。
【請求項２】
前記接地部の下面には少なくとも一か所の凹部が形成されており、
前記すべり部材が、前記凹部に嵌装又は螺設されていることを特徴とする請求項１に記載の平パレット。
【請求項３】
前記接地部の下面には少なくとも一か所の凹部が形成されており、
前記積載部と前記凹部とを貫通する貫通孔を有し
前記貫通孔にはボルトが挿通されるとともに、前記ボルトの先端に前記すべり部材が螺設されていることを特徴とする請求項１に記載の平パレット。
【請求項４】
前記すべり部材には、摩擦係数低減材料が使用されていることを特徴とする請求項１乃至請求項３のいずれか１項に記載の平パレット。
【請求項５】
前記すべり部材の下面は、摩擦係数低減加工が施されていることを特徴とする請求項１乃至請求項３のいずれか１項に記載の平パレット。
【請求項６】
請求項１乃至請求項５のいずれか１項に記載の平パレットを、被接地面上に平置きすることを特徴とする平パレットの免振構造。
【考案の詳細な説明】
【技術分野】
【０００１】
本考案は、荷物を載せるために用いられる免振機能を有する平パレット及び当該平パレットの免振構造に関する。
【背景技術】
【０００２】
工場及び物流施設などにおいて、物品の運搬を容易に行い、荷役作業の向上を図るために平パレットが使用される。平パレットは、積載部に物品を載置した状態で保管されるとともに、運搬時において、積載部と接地部との間にフォークリフト等の搬送装置のフォーク（爪）を差し込み、持ち上げられた状態で搬送される。
【０００３】
上記平パレットは、載置面に物品を載置した状態で床面上に平置きされ、又は平パレット上に載置された物品の上面に多段積みされることにより、所定場所において保管される。そのため、上記保管時において、物品が載置された平パレットに強い地震力が作用した場合には、平パレット上の物品が荷崩れを起こし、落下する等の被害が発生する。
【０００４】
昨今、頻発する地震災害に備えるために、ＢＣＰ対策として、多くの企業が免振又は制振など構造物等に対する減災対策を検討する事例が増加しており、保管されている平パレットの被害を防止するニーズも多く存在している。ところが、レイアウトが自由であり、平パレットに載置された物品を保管する物流施設等では、個別の有効な減災対策技術が存在していなかった。そのため、従来は、建物全体を免震化する等の方法を採用せざるを得ず、高コストとなることから、対応が進んでいないという現状がある。
【０００５】
一方、従来、デッキボードに凹凸を設けること、デッキボードにゴム状物質をコーティングすること、及びデッドボードに設けた穴にゴム突起を設けること（以下、「第１のタイプの平パレット」という。）、並びに、デッキボードの周縁部に、連続又は断続の帯状にすべり止めを配設すること等を特徴とするすべり止め付きプラスチックパレット（以下、「第２のタイプの平パレット」という。）が存在している（特許文献１）。
【先行技術文献】
【特許文献】
【０００６】
【特許文献１】実開昭５３−１７６７号公報
【考案の概要】
【考案が解決しようとする課題】
【０００７】
しかし、第１のタイプの平パレットでは、滑り止め効果、耐久性及び経済性等に問題があったため、第２のタイプの平パレットが考案された経緯がある（特許文献１の詳細な説明）。
【０００８】
一方、第２のタイプの平パレットはプラスチック製であり、例えば、コンクリート床面上に設置した場合には、当該平パレットとコンクリート床間の摩擦係数は、０．５程度となる。そのため、地震動がそのまま平パレット及び載荷物に伝わり、震度６弱以上の強い地震力が作用した場合には、載荷物に被害が生じてしまうという問題点を有していた。
【０００９】
本考案は、上記問題点を解決するためになされたものであり、強い地震力が作用した場合に免振効果が高く、簡易な構造かつ安価な平パレットを提供するとともに、当該平パレットの免振構造を提供することを目的とする。
【課題を解決するための手段】
【００１０】
上記目的を達成するために本考案は、積載物の積載部と、上記積載部と対向する接地部と、上記積載部と接地部との間に設けられているフォーク挿入部を備える平パレットにおいて、上記接地部の下面における複数個所にすべり部材が突設されていることを特徴とする平パレット（以下、「本平パレット」という場合がある。）を提供するものである。
【００１１】
ここで、すべり部材は、床面等と接触しながらスライド移動を容易に行わせるために設けられる部材であり、すべり支承等に設けられる同名の部材と同様の役割を担う部材である。
上記すべり部材は、床面等の被接地面に当接し、水平力が作用する場合には当該被接地面上を摺動し、載荷物の荷重を被接地面に伝達することになる。そのため、設置箇所及びその数は、接地部の寸法及び積算物の積算荷重（接地部のたわみ等）を考慮して、適切に定める必要がある。
なお、安定的に積載物を支持するためには、すべり部材を少なくとも５か所に設けることが好適である。
【００１２】
また、平パレットの材質は合成樹脂製、木製等制限はない。
また、平パレットの形式、形状及び寸法についても制限はない。
また、平パレットに設けられる凹部の形状等は、適宜定めることができる。
また、すべり部材の接地部への取付方法についても、想定された水平力が作用した場合において、損壊すること、抜け落ちること、動作不良となること等がないように、適宜な方法で装着されることが必要となる。
【００１３】
例えば、本平パレットは、積載物の積載部と、被接地面等と接する接地部とを備える必要があるが、積載部及び接地部は、平板及び複数枚のデッキボードを使用して形成する等、その態様を問うものでない。また、フォーク挿入部は、積載部と接地部の間に、フォークリフトにおけるフォークの差込口として設けられるものであり、桁部材又はブロック部材等を介装することにより適切な態様で形成される必要がある。
【００１４】
また、上記平パレットにおいて、上記接地部の下面には少なくとも一か所の凹部が形成されており、上記すべり部材が、上記凹部に嵌装又は螺設されていることとすれば、簡易な構造で、すべり部材を取り付けることができるため好適である。
なお、すべり部材は、基体と、係止鍔部が形成されている取付体とを有し、すべり部材を嵌装等するための凹部には係止顎部が設けられており、当該係止鍔部が、係止顎部に係止する等の構成を採用することができる。
【００１５】
また、本平パレットにおいて、上記接地部の下面には少なくとも一か所の凹部が形成されており、上記積載部と上記凹部とを貫通する貫通孔を有し、上記貫通孔にはボルトが挿通されるとともに、上記ボルトの先端に上記すべり部材が螺設されていることとすれば、簡易な構造で、すべり部材を取り付けることができるため好適である。
【００１６】
また、本平パレットにおいて、上記すべり部材には、摩擦係数低減材料が使用されていることとすれば、被接地面との間の摩擦抵抗を効果的に低減することができるため好適である。
なお、摩擦係数低減材料は、平パレットを設置する被接地面との間に生じる摩擦係数を低減するための材料であり、被接地面との摩擦力を低減し、かつ、載置物の載荷荷重に対する所定強度を有することが必要であることから、鋳鉄を用いることが好適である。
【００１７】
また、本平パレットにおいて、上記すべり部材の下面は、摩擦係数低減加工が施されていることとすれば、被接地面との間の摩擦抵抗を効果的に低減することができるため好適である。
【００１８】
なお、摩擦係数低減加工とは、角部の面取りを行うこと、研磨加工（切削加工）を行うこと及び好適な曲面形状（例えば、接触面が球面又は疑似球面の少なくとも一部を備える形状）に形成すること等、接地面を均して被接地面との摺動時における摩擦係数（摩擦力）を減少させる目的で行う種々の加工をいう。
【００１９】
本平パレットによれば、接地部の複数個所において、すべり部材が突設されており、地震時において水平力が作用した場合に、当該すべり部材が被接地面上を摺動することになることから、本パレットと被接地面との間に作用する摩擦係数の低減を図ることができる。これにより、地震時において、積載物が載置されている平パレットを滑動させて載荷物に加わる応答加速度を抑制させる（免振作用を発揮させる）ことで、積載物の荷崩れ及び落下被害を低減することができる。
【００２０】
さらに、本考案は、上記平パレットを被接地面（特に、コンクリート床面であることが好適である）上に平置きすることを特徴とする平パレットの免振構造（以下、「本免振構造」という場合がある。）を提供するものである。
【考案の効果】
【００２１】
本考案によれば、震度６以上の大地震に対して特に有効である、簡易な構造かつ安価な平パレット及び当該平パレットの免振構造を提供することができる。
【図面の簡単な説明】
【００２２】
【図１】本考案の平パレット（第１実施形態）を示し、（ａ）は、上面図であり、（ｂ）は、Ａ−Ａ断面図である。
【図２】図１におけるＢ部の拡大図である。
【図３】本考案の平パレット（第２実施形態）を示す、図１（ｂ）に対応する断面図である。
【図４】（ａ）は、図３におけるＣ部の拡大図であり、（ｂ）は、図３におけるＤ部の拡大図である。
【考案を実施するための形態】
【００２３】
以下、図面を参照しつつ、本考案の実施形態の一例について、詳細に説明する。なお、図面に基づく説明においては、同一要素には同一符号を付し、重複する説明を省略する。
【００２４】
＜１＞第１実施形態
（１）本平パレットの構成及び本平パレットの免振構造
本平パレットＰは、積載物の積載部を構成する上板１０、当該上板１０と対向する接地部を構成する底板２０と、上板１０と底板２０の間に介設されている３本の桁部材３０とを備えている（図１（ａ），（ｂ））。
そして、本免振構造は、本平パレットＰが被接地面であるコンクリート床面上（図示せず）に平置きされている構造である。
【００２５】
上板１０と底板２０は、同一形状の正方形の合成樹脂製の板状部材である。なお、上板１０と底板２０は、同一形状の長方形であってもよい。
桁部材３０は、同一形状の合成樹脂製の柱部材であり、上板１０及び底板２０の対向する両端縁部と、中間部に並設されている。隣接する桁部材３０の間には、２つの開口部３１が形成されており、当該開口部３１は、フォークリフトのフォークを差し込むためのフォーク挿入部となっている。
【００２６】
底板２０の下面における３本の各桁部材３０の両端部及び中間部に対応する位置には、すべり部材４０を嵌装するための凹部２１が形成されている（本実施形態では、合計９か所）。各凹部２１は、２つの円柱孔である上凹部２２及び下凹部２３から構成されている。上凹部２２は、下凹部２３と比較して小径かつ低い高さ寸法に形成されている。また、上凹部２２と下凹部２３の境界部には、すべり部材４０の係止鍔部４５を係止するための円環状の顎部２４が設けられており、当該顎部２４は、弾性変形可能となるように形成されている。
【００２７】
すべり部材４０は鋳鉄製であり、円柱体形状である基体４１と、当該基体４１の上面に設けられている係止部４２を有している。
基体４１の下面は、摩擦抵抗を減じるために、球面の一部分の形状に形成されている。また、係止部は４２、基体４１と比較して小径である円柱体４３と錐台体４４を組み合わせた扁平な傘状に形成されている。錐台体４４の底面は、円柱体４３と比較して大径に形成されており、当該円柱体４３と錐台体４４との接合部の周縁部には、係止鍔部４５が形成されている（図２）。
【００２８】
すべり部材４０の係止部４２は、凹部２１における顎部２４に係止されることにより嵌装されており、凹部２１から突出するように設けられている。すなわち、すべり部材４０は、下面が底板２０の下面から突出している。
【００２９】
なお、すべり部材４０材を凹部２１に取り付ける場合には、顎部２４を弾性変形させながら係止鍔部４５を当該顎部２４に嵌入し、当該係止鍔部４５を顎部２４に係止させることにより、容易に行うことができるようになっている。
【００３０】
その他、すべり部材４０は、合成樹脂製である本平パレットＰの成形過程において、凹部２１に挿着し、当該合成脂の冷却により抜け出さないようにすることもできる。
また、すべり部材４０は、ゴム製ブッシュ等を使って凹部２１に押し込み装着し、抜け出さないようにすることもできる。
【００３１】
（２）本平パレット及び本免振構造の作用効果
本免振構造は、載置物を上板に載置した状態の本平パレットＰが、コンクリート床面（被接地面）上に設置されている。このとき、本平パレットＰの底板２０に設けられたすべり部材４０の下面がコンクリート床面と当接している。
この状態において、震度６弱以上の強い地震が、本平パレットＰに作用した場合には、積載物に水平力が作用する。すると、本平パレットＰの底板２０に設けられているすべり部材４０とコンクリート床面との間に滑りが生じ、本平パレットＰは当該コンクリート床面上を摺動する。
【００３２】
ところで、従来の樹脂製の平パレットを用い、コンクリート床面上に設置した場合において、当該平パレットとコンクリート床間の摩擦係数は、０．５程度である。一方、鋳鉄とコンクリート床間の摩擦係数は、０．２〜０．２５であることから、本平パレットＰは、何らの対策を施さない通常の平パレットと比べて滑りやすくなる。
周知のように、摩擦力は、垂直力と摩擦係数の積であるため、本平パレットＰに積荷重量の２０％〜２５％以上の水平力が作用した場合には、本平パレットＰに滑りが生じる。そのため、載荷されている載荷物に加わる応答加速度が、２００ｃｍ／ｓ２〜２５０ｃｍ／ｓ２程度に抑制されることから、積載物の荷崩れ及び落下被害を低減することができる。
【００３３】
上記のとおり、本平パレットＰ及び当該本平パレットＰを使用した本免振構造によれば、底板２０に突設されている鋳鉄製のすべり部材４０を有しているため、地震時に水平力が作用した場合に、当該すべり部材４０をコンクリート床面上で滑動（摺動）させることができる。そのため、本パレットＰとコンクリート床面との摩擦係数の低減を図ることができるため、地震時において、積載物を載置している本平パレットＰを滑動させることにより、載荷物に加わる応答加速度を抑制させ、当該積載物の荷崩れ及び落下被害を低減することができる。
【００３４】
このように、本考案によれば、荷役用及び保管用として広く使用されている平パレットに対して、簡易な構造かつ安価に免振構造を施すことが可能となる。そのため、物流施設等への減振対策（地震対策）の普及が進み、災害時におけるサプライチェーンの維持及び早期復旧等、企業支援の強化を図ることができるとともに、公益的な利益にも資することになる。
【００３５】
＜第２実施形態＞
続いて、第２実施形態の本平パレットＰ’について説明する。
第２実施形態の本開きパレットＰ’と、第１実施形態の本開きパレットＰは、すべり部材４０’の形状と、取付構造が異なっている。なお、以下の説明では、相違点のみについて説明する。
【００３６】
本平パレットＰ’は、底板２０’の下面における９か所に、すべり部材４０’を嵌装するための円柱孔である底板凹部２１’が形成されている。
上板１０’、底板２０’及び桁部材３０における底板凹部２１’に対応する位置には、垂直方向に、当該底板凹部２１’に至る貫通孔５１’が形成されている。また、上板１０’の上面における貫通孔５１’に対応する位置には、ボルト頭部５５ａ’を取り付けるための円形形状（上面視）の上板凹部１１’が形成されている（図３，図４（ａ））。
【００３７】
すべり部材４０’は鋳鉄製であり、後記ナット５６’（六角ナット）と比較して大径である六角ナットを使用し、下面を研磨加工（切削加工）するとともに、下面の縁端部を面取りすることにより、床面との摩擦抵抗を減少させる摩擦抵抗低減加工が施されている。
【００３８】
上面凹部１１’から底板凹部２１’に至る貫通孔５１’には、ボルト頭部５５ａ’が上板凹部１１’に挿設される向きで、上側からボルト５５’が挿通されている。ボルト５５’の先端は底板凹部２１’に突出しており、当該ボルト５５’の先端の近傍には、ナット５６’が取り付けられ、底板凹部２１’の上面にボルト５５’が固定されている。
また、ボルト５５’の先端部には、ナット５６’の下面に接するようにすべり部材４０’が螺設されており、当該すべり部材４０’は、ダブルナット方式で、取り付けられている（図４（ｂ））。
【００３９】
すべり部材４０’の底面が、底板凹部２１’から突出するように設けられている点は、第１実施形態の平パレットＰ’と同様である（図４（ｂ））。
なお、ボルト５５’とナット５６’は、公知である汎用品を使用することができる。
【００４０】
第２実施形態の平パレットＰ’によっても、第１実施形態の平パレットＰと同様の作用効果を奏させることができる。
【００４１】
以上、本考案について、好適な実施形態についての一例を説明したが、本考案は当該実施形態に限られず、本考案の趣旨を逸脱しない範囲で各要素に関して、適宜設計変更が可能である。
【００４２】
上記のとおり、積載部、接地部、フォーク挿入部及びすべり部材の形態、並びに、すべり部材の材質、数、表面の平滑度及び粗度、取付方法及び摩擦抵抗低減加工の方法等は、最適な構成を採用することができる。また、平パレットの被接地面についても制限はない。
【符号の説明】
【００４３】
Ｐ、Ｐ’    平パレット
１０，１０’    上板
１１’    上板凹部
２０，２０’    底板
２１      凹部
２１’    底板凹部
２４      顎部
３０      桁部材
３１      開口部
４０，４０’    すべり部材
４１      基体
４２      係止部
４５      係止鍔部
５１’    貫通孔
５５’    ボルト
【図１】
0003233709.tif 000003
【図２】
0003233709.tif 000004
【図３】
0003233709.tif 000005
【図４】
0003233709.tif 000006